(57)【要約】【課題】夏の暑さ対策装置として、課題は、機能的には室温、経済的には消費電力と装置の価格である。【解決手段】この手段は、送風機の送風管の開口端の中心部に、超音波加湿器の噴霧管の開口端を設けたもので、送風機による送風流は、上記中心部では流速が大きいから圧力が小さくなり、この中心部に噴霧管の開口端から供給された微細な噴霧は、周りの高圧により中心方向に封じ込められ、この封じ込みと低圧とにより十分気化され、この送風流の温度を下げるので室温を下げることができる。そしてこの送風流の温度低下は、実験の結果２°Ｃ前後だった。また構成要素は送風機と超音波加湿器だけだから、消費電力は少なく、装置は安価である。このようにこの手段に基づく発明は、本課題にかヽわる諸問題を解決することができた。【特許請求の範囲】
【請求項１】
送風機１の送風管２の上向きの開口端３の中心付近に、超音波式加湿器６の噴霧管７の開口端８を設置し、またこの送風機１による送風流の外側に間隔をあけて設けた末広がり管４を、送風管２の開口端３に取り付けた冷風装置。
【請求項２】
送風機１０の送風管１１と、超音波式加湿器１３の噴霧管１４の開口端１５を中心線付近に設置したサイクロン１６の流入管１２とを接続した冷風装置
【発明の詳細な説明】
【技術分野】
【０００１】  本発明は、夏期の高い気温を下げるための冷風装置に関する
【背景技術】
【０００２】  これまで、簡単な装置で「夏期の高い気温を下げること」（課題）解決のために、色々試みられてきたが実用化には至っていない。
【課題解決のための手段】
【０００３】  本発明は、簡単な装置でこの課題を解決したものである。
【０００４】  そしてこの手段は、送風機からの送風流内へ、超音波式加湿器（以下単に加湿器）の微小な噴霧を送り込み、この噴霧を送風流により気化して、この送風流の温度を下げるようにしたものである。
【発明を実施するための最良の形態】
【０００５】  以下、本発明の実施の形態を図１，２に基づいて説明する。【０００６】  まず図１の発明は、送風機１の送風管２の上向きの開口端３の中心付近に、加湿器６の噴霧管７の開口端８を設置し、またこの送風機１による送風流の外側に間隔をあけて設けた末広がり管４を、送風管２の開口端３に取り付けたものである。【０００７】  この構成から、送風管２の開口端３の中心付近は流速が大きいので低圧となり、こヽに送り込まれた加湿器６の噴霧は、送風流内に停滞、浮遊し、また飛散のものは末広がり管４により外部と遮られるので、送風流により末広がり管４内で気化され、この送風流に温度を下げて開口部５から外部へ放出される。【０００８】  次に図２の発明は、送風機１０の送風管１１と、加湿器１３の噴霧管１４の開口端１５を中心線付近に設置したサイクロンン１６の流入管１２とを接続したものである。【０００９】  この構成から、送風機１０の送風流内へ送り込まれた加湿器１３の噴霧は、送風流と共に流入管１２から接線方向にサイクロン１６内へ流入し、同筒部１７、円錐部１８を経て、遠心力により旋回されるので、気化されると共に除去され、この送風流は温度を下げて排出管１９から外部へ放出される。
【発明の効果】
【００１０】  小型送風機１と加湿器６とで構成された図１の発明で、気温３０°Ｃ前後、湿度５５％前後の条件でテストしたところ、末広がり管４の開口部５からの送風流の気温を、２〜３°Ｃ下げることができた。
【図面の簡単な説明】
【００１１】
【図１】  本発明の実施形態を示す主要部の一部断面とした全体図
【図２】  本発明の実施形態を示す全体図
【図１】
2013057493.tif 000002
【図２】
2013057493.tif 000003
【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
送風機１の送風管２の開口端３の中心部に、超音波加湿器６の噴霧管７の開口端８を設けた冷風装置
【請求項２】
送風機１０の送風管１１と、サイクロン１６の円筒部１７に接線方向に設けられた流入管１２とを接続し、超音波加湿器１３の噴霧管１４の開口端１５を、上記流入管１２の中心部に設けた冷風装置
【手続補正２】
【補正対象書類名】明細書
【補正対象項目名】全文
【補正方法】変更
【補正の内容】
【発明の詳細な説明】
【技術分野】
【０００１】  本発明は、夏の暑さ対策装置である冷風装置に関する。
【背景技術】
【０００２】夏の暑さ対策装置として、言うまでもないが、これまで扇風機やエヤコンが使われてきた。扇風機は消費電力は少く、装置自体は安価であるが、室温を下げることはできず、エヤコンは室温を下げることはできるが、消費電力は大きく装置は高価である。
【発明の開示】
【発明が解決しようとする課題】
【０００３】上記背景技術から、夏の暑さ対策装置として、課題は、機能的には室温、経済的には消費電力と装置の価格である。
【課題を解決するための手段】
【０００４】まず第１の手段は、送風機の送風管の開口端の中心部に超音波加湿器（以下単に加湿器）の噴霧管の開口端を設けたものである。【０００５】この手段の作用を説明すると、送風機による送風流は、上記中心部では流速が大きいから圧力が小さくなり、この圧力は外側に向って高くなるので、この中心部に供給された加湿器の微細な噴霧は、周りの高圧により中心方向に封じ込められ、この封じ込みと低圧とにより十分気化され、送風流は温度を下げて外部へ放出される。【０００６】そしてこの温度低下は、実験の結果２°Ｃ前後だった。【０００７】次に第２の手段は、第１の手段で気化しない噴霧を、サイクロンにより除去することを目的とするものである。【０００８】こヽでこの手段の説明の前に、サイクロンの説明をすると、円筒部とこの下部に連なる円錐部とからなり、円筒部に接線方向に流入管を、また円筒部を貫通して排風管を設けたものである。【０００９】さて第２の手段は、送風機の送風管とサイクロンの流入管とを接続し、加湿器の噴霧管の開口端を、この流入管の中心部に設けたものである。【００１０】この手段の作用を説明すると、サイクロンの流入管の中心部に供給された加湿器の微細な噴霧は、上記のように周りの高圧により封じ込められて円筒部に流入し、気化しない噴霧は円筒部で高速回転し、遠心力により分離されて円錐部へ流れ、送風流は気化により温度を下げ水分なしで排風管から外部へ放出される。【００１１】以上のように、これら二つの手段は、送風流の温度を下げるので室温を下げることができ、また構成要素は、それぞれ送風機と加湿器、これらにサイクロンが加わったものであるから、消費電力は少なく装置は安価で、本課題にかヽわる諸問題はすべて解決することができた。
【発明の効果】
【００１２】上記発明に、例えば扇風機のように回転装置を付け加えれば、気温より低い風を送る新しい扇風機や小型冷房装置ができる。
【発明を実施するための最良の形態】
【００１３】  以下、本発明の実施の形態を図１，２に基づいて説明する。【００１４】  図１は第１の手段に基づく第１の発明で、送風機１の送風管２の開口端３の中心部に、加湿器６の噴霧管７の開口端８を設けたものである。【００１５】  この発明は、以上の構成から、送風管２の開口端３の中心部に供給された、加湿器６の噴霧管７の開口端８の噴霧は、こヽで十分気化されるので送風流は温度を下げて開口部５から外部へ放出される。【００１６】なお送風管２を上向きにすると、飛散の噴霧は、送風流の外側に間隔をあけて送風管２の開口端３に取付けた、末広がり管４内に落ち込む。【００１７】  図２は第２の手段に基づく第２の発明で、送風機１０の送風管１１と、サイクロン１６の円筒部１７に設けられた流入管１２とを接続し、加湿器１３の噴霧管１４の開口端１５を上記流入管１２の中心部に設けたものである。【００１８】  この発明は、以上の構成から、流入管１２の中心部に供給された、加湿器１３の噴霧管１４の開口端１５の噴霧は、送風流と共にサイクロン１６の円筒部１７に流入し、気化しない噴霧は、円筒部１７で分離されて円錐部１８へ流れ、送風流内の噴霧は全部気化されるので、送風流は温度を下げ水分なしで排風管１９から外部へ放出される。
【図面の簡単な説明】
【００１９】
【図１】第１の発明の実施形態を示す主要部の一部断面とした全体図
【図２】第２の発明の完成形態を示す全体図
【符号の説明】
【００２０】１、１０  送風機
６、１３  加湿器
１６      サイクロン